(57)【要約】【課題】組立作業性を向上させた照明器具を提供する。【解決手段】器具本体２１と、発光素子を備える発光素子基板であるＬＥＤ光源モジュール４４と、ＬＥＤ光源モジュール４４に給電する電源基板３３と、前記電源基板３３を覆う電源カバー６１と、前記ＬＥＤ光源モジュール４４を覆う保護部材９１と、を備える照明器具１１であって、前記電源基板３３と前記ＬＥＤ光源モジュール４４は、前記器具本体２１の照射面側に配置され、前記ＬＥＤ光源モジュール４４は、前記器具本体２１に取り付けられ、前記電源基板３３は、前記電源カバー６１に取り付けられ、前記保護部材９１は、前記器具本体２１と前記電源カバー６１に取り付けられる。【選択図】図５
2018198228.tif 000002
【特許請求の範囲】
【請求項１】
器具本体と、
発光素子を備える発光素子基板と、
前記発光素子基板に給電する電源基板と、
前記電源基板を覆う電源カバーと、
前記発光素子基板を覆うモジュールカバーと、を備える照明器具であって、
前記電源基板と前記発光素子基板は、前記器具本体の照射面側に配置され、
前記発光素子基板は、前記器具本体に取り付けられ、
前記電源基板は、前記電源カバーに取り付けられ、
前記モジュールカバーは、前記器具本体と前記電源カバーに取り付けられる、照明器具。
【請求項２】
請求項１に記載の照明器具であって、
前記電源カバーは、照明器具の照射面側に向かって複数段形状に突出する段部を有し、
前記モジュールカバーは、前記器具本体に設けられた突条部と前記電源カバー
に設けられた前記段部に取り付けられる、照明器具。
【発明の詳細な説明】
【技術分野】
【０００１】
本発明は、照明器具に関する。
【背景技術】
【０００２】
従来、光源としてＬＥＤを備えた照明器具が知られている（例えば、特許文献１参照）。
【０００３】
特許文献１には、光源としてＬＥＤを備えた照明モジュールと、該照明モジュールに電力を供給する電源部と、照明モジュール及び電源部を保持するシャーシ（保持体）と、電源部を覆う電源カバーを備える照明器具が開示されている。
【０００４】
特許文献１の照明器具においては、特許文献１の図２からもわかるように、シャーシに電源部が取り付けられ、該電源部を覆うように電源カバーがシャーシに取り付けられる構成となっている。すなわち、電源部がシャーシと電源カバーにより形成される空洞内に収容されている。
【先行技術文献】
【特許文献】
【０００５】
【特許文献１】特開２０１１−１３４６８４号公報
【発明の概要】
【発明が解決しようとする課題】
【０００６】
しかし、特許文献１の照明器具の場合、シャーシに電源部が取り付けられ、該電源部を覆うように電源カバーがシャーシに取り付けられる構成となっているため、組立作業性が良くない。そのため、照明器具としてはより組立作業性を向上したものが望まれる。
【０００７】
そこで、本発明は、上記課題に鑑みてなされたものであり、組立作業性を向上させた照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する照明器具は、
器具本体と、
発光素子を備える発光素子基板と、
前記発光素子基板に給電する電源基板と、
前記電源基板を覆う電源カバーと、
前記発光素子基板を覆うモジュールカバーと、を備える照明器具であって、
前記電源基板と前記発光素子基板は、前記器具本体の照射面側に配置され、
前記発光素子基板は、前記器具本体に取り付けられ、
前記電源基板は、前記電源カバーに取り付けられ、
前記モジュールカバーは、前記器具本体と前記電源カバーに取り付けられるものである。
【００１０】
本願に開示する照明器具において、
前記電源カバーは、照明器具の照射面側に向かって複数段形状に突出する段部を有し、
前記モジュールカバーは、前記器具本体に設けられた突条部と前記電源カバー
に設けられた前記段部に取り付けられることが好ましい。
【発明の効果】
【００１１】
本発明によれば、照明器具の組立工程の分業化を可能とし、組立作業性を向上することができる。すなわち、発光素子基板が組み付けられた器具本体と、電源基板が組み付けられた電源カバーとを分けて組み立てることができるため、照明器具の組立工程の分業化を可能とし、組立作業性を向上することができる。
【図面の簡単な説明】
【００１２】
【図１】本発明の一実施形態に係る照明器具を示す側面図。
【図２】照明器具（セードを取り外した状態）を示す平面図。
【図３】照明器具（セードを取り外した状態）の取付面側を示す図。
【図４】図２におけるＡ−Ａ線断面図。
【図５】図２におけるＢ−Ｂ線断面図。
【図６】光源部（ＬＥＤ光源モジュール）及び電源基板を示す平面図。
【発明を実施するための形態】
【００１３】
本発明の実施形態に係る照明器具１１について、図１から図６を用いて説明する。本実施形態に係る照明器具１１は、複数のＬＥＤ素子４２を光源とする照明器具である。図１に示すように、照明器具１１は、天井等の器具取付面（図示せず）に直付けされるシーリングライトである。以下の説明では、照明器具１１の光を照射する側を照明器具１１の照射面側とし、照明器具１１における天井等の器具取付面に対向する側を照明器具１１の取付面側（取付状態では天井側）として説明する。また、照明器具１１の上下方向は、照明器具１１が天井等の器具取付面に設置された状態における上下方向（図１、図４、図５における上下方向）として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１４】
照明器具１１は、主に器具本体２１、電源部３１、光源部４１、セード５１、電源カバー６１、接続部７１、受光部８１、及び保護部材９１を有している。照明器具１１は、平面視における形状が円形である。
【００１５】
器具本体２１は、照明器具１１の本体を構成するものである。器具本体２１は、いわゆるベースやシャーシと呼ばれる部材である。器具本体２１は、平面視における外形輪郭形状が円形である。器具本体２１は、光源部４１、セード５１、電源部３１を有する電源カバー６１、接続部７１及び保護部材９１等を保持するものである。器具本体２１は、光源取付部２２、収容部２３、中央円環部２４、突条部２６、及び外周縁部２７を有し、単一の部材として一体的に形成されている。
なお、本実施形態においては、光源取付部２２、収容部２３、中央円環部２４、突条部２６、及び外周縁部２７を器具本体２１として一体的に形成しているが、特に限定するものではない。
また、器具本体２１は、電源部３１を有する電源カバー６１、光源部４１、及びセード５１等を保持可能な耐久性と、光源部４１や電源部３１が発する熱を放熱させるための熱伝導性とを考慮し、鉄やアルミニウム、またはそれらの合金等の金属板を用いて形成されている。なお、器具本体２１は、耐久性及び放熱性が高い材料であれば、先述した金属材料に限らず、その他の合金材料や樹脂等の他の材料で形成することができる。器具本体２１は、少なくとも照射面側に、白色塗装などのように光を反射する加工が施されていることが好ましい。
【００１６】
光源取付部２２は、光源部４１が取り付けられる部分である。光源取付部２２は、器具本体２１の周方向に沿って、一定幅設けられ、平面視において略円環状の部分である。光源取付部２２は、光源取付面部２２ａ、光源固定部２２ｂ及びカバー取付部２２ｃ（図４、図５参照）を有している。光源取付面部２２ａは、周方向及び半径方向に所定幅を有する略円環状の平坦面であり、複数のＬＥＤ光源モジュール４４を当接して取り付けるための面である。光源固定部２２ｂは、光源部４１をネジ部材により固定するために光源取付面部２２ａの外周近傍に複数設けられたネジ部材を螺合するためのネジ孔である。なお、光源固定部２２ｂは、例えばバーリング加工によって形成されることにより、ネジ部材４９との螺合部分の長さを長く確保することもできる。カバー取付部２２ｃは、光源取付面部２２ａの径方向内側に連設されるとともに半径方向に所定幅を有する略円環状の平坦面である。カバー取付部２２ｃは、電源カバー６１の外周縁部である鍔部６６を当接して取り付ける面である。カバー取付部２２ｃは、光源取付面部２２ａに対して取付面側にわずかに（電源カバー６１の鍔部６６の厚さ程度）突出する面である。カバー取付部２２ｃの径方向内側の内周縁には、収容部２３の外周縁が連続して形成される。収容部２３は、カバー取付部２２ｃに対して取付面側に突出して形成されている。光源取付部２２は、収容部２３周囲を取り囲むように収容部２３の径方向外側の領域に設けられている。また、光源取付部２２は器具本体２１の外周縁部より径方向内側の領域に形成されている。光源取付部２２は、取付面側が露出しており、外気に接している。光源取付部２２は、光源部４１で発生した熱を蓄えることができる。光源取付部２２は取付面側が外気に接しているため、光源取付部２２の温度が外気温度よりも高い場合には光源取付部２２に蓄えられた熱が外気に伝わる。これにより、光源取付部２２の温度が低下する。すなわち、光源取付部２２を放熱部として機能させるため、ＬＥＤ光源モジュール４４が取り付けられる光源取付面部２２ａは、ＬＥＤ光源モジュール４４との接触面積が広くなるよう平坦に形成されている。
【００１７】
突条部２６は、光源取付部２２の径方向外側に隣接して設けられ、照射面側に突出する部分である。突条部２６は、光源部４１の外周側に沿うように平面視において円環状に形成されている。突条部２６の下端には、保護部材９１の外周端がネジ部材により取付けられる。突条部２６は、器具本体２１を補強するための補強用リブとしての機能を有し、断面形状が略台形凸状に形成されている。これにより、器具本体２１における周方向の曲げ剛性を向上することができる。突条部２６の径方向外側であって、器具本体２１の外周縁には、平面視において円環状の外周縁部２７を有している。外周縁部２７は、光源取付部２２に対して取付面側に突出して形成されている。外周縁部２７は、器具本体２１を補強するための補強用リブとしての機能を有している。これにより、器具本体２１における周方向の曲げ剛性を向上することができる。外周縁部２７には、セード５１を保持するための複数の保持部２９が設けられている。複数の保持部２９は、外周縁部２７に略均等間隔に配置される。
【００１８】
中央円環部２４は、器具本体２１の径方向中央部に設けられている。中央円環部２４は、径方向中心となる位置に取付孔２４ａと、該取付孔２４ａの周縁に形成される円板状の周縁部２４ｂを有している。取付孔２４ａは、照明器具１１を天井に取り付ける際、引掛シーリングアダプタ等の配線部品（図示せず）を挿通するための円形の開口部分である。
【００１９】
周縁部２４ｂは、取付孔２４ａの円環状の周縁部分であり、接続部７１の一端（上端）がネジ部材により取り付けられる部分である。周縁部２４ｂは、光源取付部２２に対して側面視において取付面側に位置する。周縁部２４ｂには、接続部７１をネジ部材により取り付けるためのネジ孔が設けられている。接続部７１は、照明器具１１を天井等の器具取付面に配置された配線器具にコネクタ（図示せず）を介して電気的に接続するものである。周縁部２４ｂの径方向外側には、収容部２３が連設されている。
【００２０】
収容部２３は、電源部３１の一端側が収容される部分である。収容部２３は、器具本体２１の径方向中央部に位置し、周縁部２４ｂの径方向外側に設けられている。収容部２３は、平面視において外形形状が円環形状で、断面視において光源取付部２２から取付面側に突出して形成されている。収容部２３には、電源部３１の一端側を収容するための空間が確保されている。
【００２１】
電源部３１は、光源部４１が有するＬＥＤ素子４２に給電を行って、ＬＥＤ素子４２を点灯させるための電源回路である。電源部３１は、所定形状に加工されたプリント配線基板上に複数の電子部品３５（図４参照）が実装された電源基板３３である。電源基板３３は、図４、図６に示すように、所定幅を有する略円弧形状の基部３３ａと、該基部３３ａの一端から外側に延出される平面視略三角形状の延出部３３ｂを有している。基部３３ａは、電源回路を構成する複数の電子部品３５等が実装される部分である。
なお、本実施形態では、延出部３３ｂには電子部品などを実装しない構成としているが、特に限定するものではない。例えば、延出部３３ｂにリモコンの受光部や保安灯を設けることも可能である。
【００２２】
電源基板３３は、平面視において少なくとも一部がＬＥＤ光源モジュール４４が有する基板４３に重なるように配置されている。電源基板３３の延出部３３ｂは、その一端が電源カバー６１に開口形成された貫通孔６８を介して基板４３（基板４３ａ）の一端である基板延出部４３ｅと平面視において重なり、もしくは接触する部分である。電源部３１は、外部商用電源から供給される交流電流を所定の直流電流に変換し、変換後の電流を基板４３に実装された複数のＬＥＤ素子４２に供給するためのものである。電源基板３３の基部３３ａは、電源カバー６１及び収容部２３により形成される空間内に収容され、該電源カバー６１の底部６４に複数（本実施形態では、３個）のスペーサ４０を介して取り付けられている。これにより、電源カバー６１と電源部３１との間に空間を形成し、電気的絶縁距離を確保している。電源基板３３が有する実装面（電子部品３５等が実装された面）は、図４に示すように、側面視において基板４３が有する実装面（ＬＥＤ素子が実装された面）に向かい合うように配置されている。電源部３１には、コネクタ（図示せず）が設けられている。照明器具１１を天井等の器具取付面に取り付ける際、電源部３１が有するコネクタを配線器具側のコネクタ（図示せず）に接続することで、電源部３１は照明器具用の天井配線器具を介して外部商用電源と電気的に接続される。電源部３１と、光源部４１が有する各ＬＥＤ光源モジュール４４とは、複数（本実施形態では、４本）の配線部材３４（図６参照）によって電気的に接続されている。配線部材３４は、例えば、電源基板３３が有する一つの電子部品３５（例えば、コンバータ）と各ＬＥＤ光源モジュール４４が有する給電端子４７とを電気的に接続する。
なお、電源基板３３が有する基部３３ａや延出部３３ｂの平面視における形状は、特に本実施形態に限定するものではない。例えば、延出部３３ｂについては、基板４３の一端に重なる、もしくは接触するような形状であればよく、平面視において三角形状以外にも、矩形状、半円状等であってもよい。
また、延出部３３ｂの照射面側には、光を反射する反射層（例えば、反射面が白色の層であり、シルク印刷層、白色塗料による塗装面などで構成される）を形成してもよい。このような反射層を形成することにより、電源カバー６１外に露出する延出部３３ｂは、ＬＥＤ素子４２からの光を反射することができ、セード５１の外側から延出部３３ｂの影を見えにくくすることができる。また、延出部３３ｂの照射面側には、金属箔（例えば、銅箔）を設けてもよい。
【００２３】
光源部４１は、照明器具１１の照射面側に向けて光を出射する部分である。光源部４１は、電源部３１の径方向外周側に配置される。光源部４１は、複数のＬＥＤ素子４２を有し、光源取付部２２の平坦面である光源取付面部２２ａに配置される平板状のものである。具体的には、光源部４１は、複数（本実施形態では、４枚）のＬＥＤ光源モジュール４４を有しており、各ＬＥＤ光源モジュール４４は、発光素子を備える発光素子基板として、平板状モジュール基板である基板４３（４３ａ、４３ｂ）上に複数の点光源であるＬＥＤ素子４２が実装されて構成されている。複数のＬＥＤ素子４２は、主光源であるＬＥＤ群４２ａと４２ｂとを含む。本実施形態においては、さらに保安灯用ＬＥＤ素子４２ｃを基板４３ａ上に実装している。保安灯用ＬＥＤ素子４２ｃは、必ずしも必要ではない。また、保安灯用ＬＥＤ素子４２ｃを基板４３ａ上に実装しなくてもよく、例えば、基板４３ｂの何れかの実装面上に実装してもよい。複数のＬＥＤ素子４２は、各ＬＥＤ光源モジュール４４の長手方向に沿って直線状かつ略等間隔に配置されている。各ＬＥＤ光源モジュール４４における複数のＬＥＤ素子４２は、図６に示すように、１個のＬＥＤ群４２ａ、２個のＬＥＤ群４２ｂ、から構成されている。各ＬＥＤ群４２ａ及び４２ｂは、それぞれ直線上に並べて配置され、互いに分離独立した位置に配置されている。ＬＥＤ光源モジュール４４は、基板４３上にＬＥＤ群４２ａやＬＥＤ群４２ｂなどの複数の直線状の配列を組合せて作成されている。例えば、基板４３ａ上に実装されたＬＥＤ群４２ａ及びＬＥＤ群４２ｂは、平面視において基板４３ａに対向する位置に配置される基板４３ｂ上に実装されたＬＥＤ群４２ａ及びＬＥＤ群４２ｂと点対称の位置に配置されている。ＬＥＤ群４２ａは、各ＬＥＤ光源モジュール４４においてそれぞれの基板４３の中央を通る径方向に直交する方向に沿って複数（本実施形態では９個）のＬＥＤ素子４２が略等間隔で実装されたものである。ＬＥＤ群４２ｂは、各ＬＥＤ光源モジュール４４においてそれぞれの基板４３の中央を通る径方向に直交する方向に沿って複数（本実施形態では３個）のＬＥＤ素子４２が略等間隔で実装されたものである。ＬＥＤ群４２ｂの配列方向の長さ寸法は、ＬＥＤ群４２ａの配置方向の長さ寸法よりも短い。各ＬＥＤ光源モジュール４４におけるＬＥＤ群４２ｂは、ＬＥＤ群４２ａの配列方向と平行であって、各基板４３の周方向両端近傍に配置されている。すなわち、各ＬＥＤ光源モジュール４４が有するＬＥＤ群４２ａ及びＬＥＤ群４２ｂは、平面視において接続部７１を中央として、電源カバー６１の四方を囲むように互いが対向して配置されている。ＬＥＤ群４２ａ及びＬＥＤ群４２ｂは、略円環状に形成された４つのＬＥＤ光源モジュール４４の表面において略四角形形状となるように配置されている。電源基板３３と基板４３は、器具本体２１の照射面側に配置されている。
【００２４】
ＬＥＤ光源モジュール４４が有する基板４３ａは、図６に示すように、平面視において所定幅を有する略円弧状に形成されている。基板４３ａは、周方向の対向する両端部において、径方向に沿って形成された端部４３ｄを有している。基板４３ａは、径方向内側の略円弧状の内端部４３ｃと、径方向外側の円弧状の外端部４３ｆを有している。内端部４３ｃの周方向の一端には、径方向内側に延出される、平面視略三角形状の板状部分である基板延出部４３ｅが設けられている。内端部４３ｃの周方向の他端近傍には、給電端子４７が設けられている。給電端子４７は、基板４３の径方向において内端部４３ｃ近傍に配置されている。これにより、配線部材３４を極力短くすることができ、コストを削減できるとともにノイズの影響を低減できる。基板延出部４３ｅは、平面視において電源基板３３が有する延出部３３ｂに重なり合う、もしくは接触する部分である。基板延出部４３ｅは、図４に示すように、側面視において延出部３３ｂの上側（取付面側）に配置される。なお、基板４３（４３ａ、４３ｂ）は、少なくとも照射面側に、光を反射する加工（白色塗装等）が施されていることが好ましい。
なお、本実施形態においては、４つのＬＥＤ光源モジュール４４のうちの１つを、基板４３ａ（基板延出部４３ｅ）を有するＬＥＤ光源モジュール４４としているが、特に限定するものではない。
また、本実施形態では、電源基板３３及び基板４３ａの両方に延出部（延出部３３ｂ、基板延出部４３ｅ）を設ける構成としているが、特に限定するものではない。すなわち、電源基板もしくは基板は、少なくともどちらか一方において他方に向けて延出される延出部を有していればよく、該延出部において前記電源基板と前記発光素子基板とが重なるように配置されていればよい。
また、本実施形態では、電源基板３３（延出部３３ｂ）と基板４３ａ（基板延出部４３ｅ）とが重なる部分（本実施形態では、平面視において四角形状の部分）が、電源カバー６１外に露出しているが特に限定するものではない。また、電源基板３３と基板４３ａとが重なる部分の形状は特に限定されず、重なる部分を有していれば、本発明の効果が得ることができる。
【００２５】
基板４３ｂは、図２に示すように、平面視において所定幅を有する略円弧状に形成されている。基板４３ｂは、円周方向の対向する両端部において、径方向に沿って形成された端部４３ｋを有している（図６参照）。基板４３ｂは、径方向内側の円弧状の内端部４３ｈと、円弧に直線状の切欠きを有した径方向外側の外端部４３ｇを有している。内端部４３ｈの周方向の一端近傍には、給電端子４７が設けられている。各ＬＥＤ光源モジュール４４は、周方向の各端部（端部４３ｄ、端部４３ｋ）同士を対向させて器具本体２１に配置させることにより、略円環状を成した光源部４１を形成することができる。各ＬＥＤ光源モジュール４４は、電源カバー６１の径方向外側を取り囲むように配置されている。各ＬＥＤ光源モジュール４４は、例えばビス等の２つのネジ部材４９で光源取付部２２に取り付けられている。なお、ＬＥＤ光源モジュール４４は、ネジ部材４９の替わりにリベットで光源取付部２２に取り付けることもできる。ＬＥＤ光源モジュール４４は、配線部材３４によって電源部３１（電源基板３３）と電気的に接続されている。各ＬＥＤ光源モジュール４４は、基板４３の実装面の裏面が各光源取付部２２の光源取付面部２２ａに当接して固定されるため、各ＬＥＤ光源モジュール４４が発熱した際には、ＬＥＤ光源モジュール４４の熱が器具本体２１に伝わる。器具本体２１に伝わった熱は、器具本体２１の温度よりも周辺温度が低い場合、器具本体２１周辺の空気へ伝わる。これにより、器具本体２１に伝わった熱は、各光源取付面部２２ａを介して器具本体２１の取付面側に放熱される。
なお、各ＬＥＤ光源モジュール４４は、熱伝導性シート（図示せず）や放熱グリスを介して光源取付部２２に取り付けてもよく、これにより、より高い放熱性を得ることができる。
また、本実施形態では、光源となる発光素子として表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
【００２６】
光源部４１は、複数のＬＥＤ素子４２が光源取付部２２の光源取付面部２２ａの照射面側に少なくとも配置される。これは、基板４３上に実装されたＬＥＤ素子４２が発熱源となるため、少なくともＬＥＤ素子４２を光源取付面部２２ａの領域内に配置することで放熱の効率化を図るためである。例えば、ＬＥＤ光源モジュール４４の平面視における大きさ・形状と、光源取付面部２２ａの平面視における大きさ・形状とは、同一である必要はない。すなわち、基板４３を介して、発熱源であるＬＥＤ素子４２を光源取付面部２２ａの領域内に配置すれば、放熱効果が得られる。そのため、例えば基板４３ａの外周縁部である基板延出部４３ｅなどの基板上にＬＥＤ素子４２が実装されていない部分は、光源取付面部２２ａの領域からはみ出して配置してもかまわない。
【００２７】
セード５１は、器具本体２１の照射面側を覆うように取り付けられ、光源部４１からの光を反射及び拡散させつつ、外部へ配光する部材である。セード５１は、透光性を有する樹脂素材で形成されている。セード５１の全体形状は、平面形状が円形であり、下面側に緩やかにドーム状に膨らんでいる。セード５１は、セード５１の内部の清掃や器具本体２１の部品交換等のために器具本体２１に対して着脱できる構造となっている。セード５１の上面側の開口縁部には、セード５１を器具本体２１が有する保持部２９に取り付けるための被保持部が形成されている。なお、本実施形態におけるセード５１の形状は一例であって、ドーム状の他、円筒状や角筒状などにすることもできる。
【００２８】
器具本体２１には、セード５１の被保持部を保持するための取付金具である保持部２９が設けられている。詳細は省略するが、セード５１を器具本体２１の取り付け位置に配置してセード５１の周方向の一方に回動させると、セード５１の被保持部が器具本体２１の保持部２９に保持されてセード５１が器具本体２１に取り付けられる。また、セード５１が器具本体２１に取り付けられた状態でセード５１を周方向の他方に回動させると、セード５１の被保持部が器具本体２１の保持部２９から外れて、セード５１を器具本体２１から取り外すことができる。
【００２９】
電源カバー６１は、電源部３１を覆う部材である。電源カバー６１は、器具本体２１が有する収容部２３の照射面側を閉塞する部材であり、内部に電源部３１が取り付けられる部材である。電源カバー６１は、器具本体２１の照射面側の中央部にネジ部材により取り付けられる。電源カバー６１は、取付孔６２、周縁部６３、周壁部６７、底部６４、周壁段部６５、及び鍔部６６を有している。電源カバー６１は、少なくとも照射面側に、光を反射する加工（白色塗装等）が施されていることが好ましい。
【００３０】
取付孔６２は、照明器具１１を天井に取り付ける際、引掛シーリングアダプタ等の配線部品（図示せず）を挿通する円形の開口部分である。取付孔６２は、電源カバー６１の径方向中央に設けられている。
【００３１】
周縁部６３は、取付孔６２の周縁部分であり、引掛シーリングアダプタ等の配線部品（図示せず）に支持される平面視において円環状の部分である。周縁部６３は、側面視において光源取付部２２よりも上方に位置している。
【００３２】
周壁部６７は、周縁部６３の周囲に連設され、照射面側へ行くに従って拡径する部分である。
【００３３】
底部６４は、周壁部６７の周囲に円環状に形成された平坦部分である。底部６４は、下方に突出する円環状の面である。底部６４には、平面視において略半分の面積となる領域にスペーサ４０（図５参照）を介して電源部３１が配置される。底部６４には、受光部８１に対応する位置に、受光部８１の一端を露出するための平面視長方形状の受光孔６４ａが形成されている。
【００３４】
周壁段部６５は、底部６４の外周縁から径方向外側に延設される階段状の周壁部分である。周壁段部６５は、第１段差部６５ａ、段部６５ｂ及び第２段差部６５ｃを有している。第１段差部６５ａは、底部６４の外周縁から径方向外側に延設され、取付面側へ行くに従って拡径する部分である。段部６５ｂは、第１段差部６５ａの外周縁から径方向外側に延設され、平面視において円環状の平坦部分である。第２段差部６５ｃは、段部６５ｂの外周縁から径方向外側に延設され、取付面側へ行くに従って拡径する部分である。第２段差部６５ｃには、基板４３ａが有する基板延出部４３ｅの近傍に電源基板３３が有する延出部３３ｂを挿通して電源カバー６１の外部に露出するための貫通孔６８が形成されている。貫通孔６８は、側面視において略長方形状に形成されている。
【００３５】
鍔部６６は、周壁段部６５の下端の外周縁から径方向外側に突出する円環状の部分である。鍔部６６は、電源カバー６１を器具本体２１に取り付けた際に、器具本体２１に当接する部分である。鍔部６６には、複数のネジ孔が設けられており、ネジ部材４９により鍔部６６が器具本体２１に取り付けられる。鍔部６６は、図５に示すように、器具本体２１と基板４３（４３ａ）に挟まれた状態で、ネジ部材４９により固定される。すなわち、基板４３と電源カバー６１とは、共通のネジ部材４９により器具本体２１に固定される。
【００３６】
電源カバー６１は、光源部４１が取り付けられる光源取付部２２に隣接して設けられており、電源カバー６１の上下方向の寸法（高さ寸法）が大きくなると、光源部４１からの光を遮ってセード５１に電源カバー６１の影が映る場合がある。このため、電源カバー６１の周壁段部６５は、複数段（本実施形態では２段）からなる階段状に形成して、その一部を光源部４１に対して径方向内側へ離れた位置に配置することで光源部４１からの光を遮りにくくしている。本実施形態では、周壁段部６５を例えば２段からなる階段状にすることで、周壁段部６５の照射面側の部位を光源部４１から径方向内側へ離している。なお、周壁段部６５は、本発明における段部の一例である。また、本実施形態では、器具本体２１の取付面側に収容部２３を設け、該収容部２３に電源部３１の一部及び接続部７１を収容することで、電源カバー６１の容積を抑えるとともに照射面側への突出寸法を抑えて、電源カバー６１を扁平状に形成し、光源部４１からの光を遮りにくくしている。より具体的には、本実施形態では、電源カバー６１の外周縁部である周壁段部６５を２段からなる階段状に形成しているが、図５における点線部Ｌ１で示すように、電源カバー６１の外周縁部を1段で構成した場合、ＬＥＤ素子４２から出射された光（図５の点線矢印）が当該外周縁部により遮られてセード５１に電源カバー６１の影が映る場合がある。従って、本実施形態の電源カバー６１ように外周縁部を２段からなる階段状に形成することで、ＬＥＤ素子４２から出射された光が遮られることを抑え、通過させやすくすることができ、セード５１に電源カバー６１の影が映ることを防ぐことができる。
【００３７】
電源カバー６１は、内部に電源部３１を取り付けた状態で、該電源部３１の上端側を収容部２３内に収容し、鍔部６６が器具本体２１に当接されて取り付けられる。この際に、電源カバー６１が有する周縁部６３の上面が、接続部７１の下端面に当接もしくは近接する。電源カバー６１が収容部２３の照射面側に取り付けられることで、電源カバー６１と収容部２３により所定形状の空間が形成され、該空間に電源部３１、接続部７１、及び受光部８１等を収容するための高さ及び幅が確保される。
【００３８】
接続部７１は、アダプタ等の配線器具が取り付けられる部分である。接続部７１は、ネジ部材により収容部２３が有する周縁部２４ｂに取り付けられる。
【００３９】
接続部７１は、扁平な略円筒状であって、その外径は収容部２３が有する取付孔２４ａ及び電源カバー６１が有する取付孔６２の各直径よりも大きい。照明器具１１を天井に取り付ける場合は、照明器具用の天井配線器具（引掛シーリングボディ）に引掛シーリングアダプタ等の配線部品を取付け、取付孔２４ａ及び取付孔６２に配線部品を差し込むことで、照明器具１１が天井に取り付けられる。
【００４０】
受光部８１は、リモコン（図示せず）からの無線信号（本実施形態では赤外線）を受光する部分である。受光部８１は、電源カバー６１が有する受光孔６４ａから露出するように配置される。受光部８１は、配線を介して電源部３１に電気的に接続される。受光部８１は、使用者によって操作されるリモコンから送信される無線信号を伝送媒体としたリモコン信号を受信することができる。使用者は、リモコンにより受光部８１に所定の信号を送信することでＬＥＤ光源モジュール４４（ＬＥＤ素子４２）の点灯、消灯、調光等を遠隔操作できる。
【００４１】
保護部材９１は、器具本体２１とセード５１との間において、光源部４１（ＬＥＤ光源モジュール４４）を覆うように配置される部材である。保護部材９１は、ＬＥＤ光源モジュール４４の非通電部と重なる位置に開口部９２を有するように構成される。保護部材９１は、いわゆるモジュールカバーと呼ばれる部材であり、本発明におけるモジュールカバーの一例である。保護部材９１は、透光性を有しており、例えば透光性を有する樹脂シート素材で形成されている。本実施形態の保護部材９１は透明である。保護部材９１の形状は、所定幅を有する円環状であって、複数のＬＥＤ光源モジュール４４を覆うことができるように、略円環状をなすＬＥＤ光源モジュール４４の形状よりもやや大きい形状である。すなわち、本実施形態では、４枚のＬＥＤ光源モジュール４４に対して１枚の略円環状の保護部材９１で覆われる。保護部材９１は、内周縁部が電源カバー６１の段部６５ｂに複数のビス等のネジ部材により取り付けられ、外周縁部が突条部２６の下端面に複数のビス等のネジ部材により取り付けられる。保護部材９１は、ＬＥＤ光源モジュール４４の非通電部と重なる位置にオーバル状の開口部９２を有している。
【００４２】
以上説明した本実施形態に係る照明器具１１によれば、電源基板３３は、平面視において少なくとも一部がＬＥＤ光源モジュール４４（ＬＥＤ素子４２が実装された基板４３）に重なるように配置されている。これにより、電源部３１で発生した熱を基板４３側に伝えて効率的に放熱させることができる。すなわち、電源部３１で発生した熱は、電源カバー６１を介してだけではなく、基板４３に伝えることで器具本体２１を介して外気へ伝えることができる。
【００４３】
また、照明器具１１では、電源基板３３もしくはＬＥＤ素子４２が実装された基板４３は、少なくともどちらか一方において他方に向けて延出される延出部を有し、該延出部において電源基板３３と基板４３とが重なるように配置されている。このように、電源基板３３や基板４３に延出部を設ける（本実施形態では、電源基板３３に延出部３３ｂ、基板４３ａに基板延出部４３ｅをそれぞれ設ける）ことにより、電源基板３３や基板４３の表面積を増やすことができるので、外気への放熱がしやすくなる。また、電源基板３３や基板４３から外気へ放熱しやすくなることで、基板自体の温度上昇を抑え、各基板上に実装されている部品に対して互いに発生する熱の影響を与えにくい。また、電源基板３３や基板４３に延出部を設けることにより、電源部３１を有した電源カバー６１を器具本体２１に取り付ける際に、延出部が位置決めの目安となって、電源カバー６１の位置決めがし易い。なお、延出部３３ｂと基板延出部４３ｅは、本発明における延出部の一例である。
【００４４】
また、照明器具１１では、電源基板３３は、側面視においてＬＥＤ素子４２が実装された基板４３の照射面側（図４、図５では下面側）に配置されている。すなわち、照明器具１１では、電源基板３３に比べて発熱量の大きな基板４３を、電源基板３３の取付面側（上側）に配置している。これにより、電源基板３３が対流効果による基板４３からの上昇熱の影響を受けにくくなり、効率よく放熱することができる。また、本実施形態のように基板４３を器具本体２１（光源取付部２２）や電源カバー６１（鍔部６６）に接するように配置することで、基板４３から発生した熱を器具本体２１や電源カバー６１に伝えるとともに器具本体２１や電源カバー６１を介して照明器具１１の周囲に放熱することができ、さらに効率よく放熱することができる。
【００４５】
また、照明器具１１では、ＬＥＤ素子４２が実装された基板４３は、器具本体２１に取り付けられ、電源基板３３は、電源カバー６１内に取り付けられる。これにより、照明器具の組立工程の分業化を可能とし、組立作業性を向上することができる。すなわち、本実施形態のように、ＬＥＤ素子４２が実装された基板４３等が組み付けられたユニットとなる器具本体２１と、電源基板３３等が組み付けられたユニットとなる電源カバー６１とを分けて組み立てることができるため、照明器具の組立工程の分業化を可能とし、組立作業性を向上することができる。
【００４６】
また、照明器具１１では、電源基板３３とＬＥＤ素子４２が実装された基板４３とが重なる部分の少なくとも一部は、電源カバー６１外に露出している。すなわち、電源カバー６１から電源基板３３の一部が露出することによって、電源基板３３から生じる熱が電源カバー６１内に籠もることを抑えて、電源カバー６１外にも放熱される。
【００４７】
また、照明器具１１では、電源カバー６１外に露出する電源基板３３において、該電源基板３３の照射面側に光反射層を有している。これにより、ＬＥＤ素子４２から出射される光を光反射層によって反射し、電源基板３３の影が出にくい。光反射層は、電源基板３３の照射面側における少なくとも電源カバー６１から露出する領域に設けることで、ＬＥＤ素子４２から出射する光を反射することができる。なお、光反射層は、薄い層であって、図面に明確に表すことが困難であるため、図示は省略した。
なお、光反射層は、電源カバー６１から露出する領域だけでなく、電源基板３３の照射面側の全ての領域に設けてもよい。これにより、電源基板３３に光反射層を設ける際に、電源基板３３において光反射層を設ける領域を特定する必要がないため、電源基板３３に光反射層を設ける作業が容易になる。また、光反射層は、電源基板３３の照射面側における少なくとも電源カバー６１から露出する領域の全域に設けることで、光反射層における光反射効率が高くなるため好ましいが、電源カバー６１から露出する領域の一部のみに設けてもよい。また、光反射層は、電源基板３３の側面（実装面に直交する面）にさらに設けることで、光反射効率が高くなるため好ましい。
【００４８】
また、照明器具１１では、電源基板３３が有する実装面は、側面視において基板４３が有する実装面に向かい合うように配置されている。すなわち、電源基板３３の実装面と基板４３の実装面とは、互いに異なる方向を向く姿勢で配置されている。電源基板３３の実装面に電子部品３５を実装する場合、実装面側は電子部品３５の高さ及び電気的絶縁距離（例えば沿面距離）分の高さを必要とする。一方、電源基板３３において電子部品３５を実装しない面（実装面と反対側の面）は、最低限の絶縁距離を有していればよい。そのため、電源基板３３の実装面と基板４３の実装面とが互いに異なる方向を向く姿勢で配置すれば、電源基板３３の実装面側には最低限の絶縁距離を有すればよく、電源カバー６１の照明器具１１の照射面側（前面側）に突出する高さを低減することができる。これにより、光源部４１から出射された光を電源カバー６１により遮られることを抑えられ、電源カバー６１の影が出にくくなる。また、本実施形態では、電源基板３３の実装面が取付面側（上側）に向くように配置されている。これにより、電源基板３３の実装面に実装された電子部品の熱が対流効果により空気を介して上方に上昇し、器具本体２１に伝熱され、該器具本体２１から周囲に熱が放熱され、放熱効果を高めることができる。
また、本実施形態では、電源基板３３を基板４３よりも照射面側になるように配置したが、これに限らず、電源基板３３を基板４３よりも取付面側に配置してもよい。このとき電源基板３３と基板４３は、互いに実装面ではない表面同士が向き合って配置される。この場合でも、電源カバー６１の照射面側に突出する高さを低減することができる。
また、本実施形態の照明器具１１では、電源基板３３の実装面と基板４３の実装面とが互いに異なる方向を向く姿勢で配置されているが、これに限定されることはない。電源基板３３の実装面と基板４３の実装面とが同一方向を向く姿勢で配置されてもよい。その場合には、電源基板３３と基板４３の取付方向が同一であるため、電源基板３３と基板４３とを重ねて配置する際に位置あわせが容易となる。
【００４９】
また、照明器具１１では、ＬＥＤ光源モジュール４４（ＬＥＤ素子４２が実装された基板４３）を覆うカバーである保護部材９１を備え、該発光素子基板の非通電部と重なる位置に開口部９２を有している。すなわち、該開口部は、ＬＥＤ光源モジュール４４の一部を露出させる。これにより、開口部９２は、器具本体２１と保護部材９１との間に入り込んだ虫の死骸や埃などを除去できる孔として利用できるとともに、組立時における保護部材９１の取付位置の基準となり得る。また、開口部を設けることによって、保護部材９１が覆う空間内の空気が入れ替わりやすく、ＬＥＤ光源モジュール４４の放熱性を向上させることができる。
【００５０】
また、照明器具１１では、ＬＥＤ素子４２は、複数であり、複数のＬＥＤ素子４２は、基板４３上に直線状に並べて配置される。すなわち、基板４３上に実装される複数のＬＥＤ素子４２の向きが直線状となり、実装する際に実装しやすい。従って、ＬＥＤ素子４２の実装コストが低減される。
【００５１】
また、照明器具１１では、複数のＬＥＤ素子４２は、複数の直線状の配列を組み合わせて配置される。これにより、１つの直線状に並べて配置された複数のＬＥＤ素子４２よりも照明器具１１の輝度ムラを抑えることができる。さらに、例えば角型状のセードを用いる場合、複数のＬＥＤ素子４２を複数の直線状の配列を組み合わせた配置とすることで、セードの外周側や隅部分を明るくすることができる。また、本実施形態のように、円環状に配置されたＬＥＤ光源モジュール４４において略四角形状に複数のＬＥＤ素子４２を実装しているため、円形のセード５１だけでなく角型のセードにも適したものとなり、円形及び角形の両方のセードに対応することができる。
【００５２】
また、照明器具１１では、図２に示すように、複数の直線状に並べて配置される前記複数のＬＥＤ素子４２は、少なくとも一対が向かい合うとともに、点対称に配置されている。これにより、照明器具１１の輝度ムラを抑えることができる。
【００５３】
また、照明器具１１では、直線形状に配置される前記複数のＬＥＤ素子４２は、該複数のＬＥＤ素子４２が実装される基板４３の外周と沿わないように配置されている。本実施形態のように、円環状に配置されたＬＥＤ光源モジュール４４において、基板４３の外周と沿わないように略四角形状に複数のＬＥＤ素子４２を実装しているため、円形のセード５１だけでなく角型のセードにも適したものとなり、円形及び角形の両方のセードに対応することができる。
【００５４】
また、照明器具１１では、一方の基板上に直線形状に配置される複数のＬＥＤ素子４２が、隣り合う他方の基板上に直線形状に配置される複数のＬＥＤ素子４２に対して直交するように配置される。これにより、円形のセード５１だけでなく角型のセードにも適したものとなり、円形及び角形の両方のセードに対応することができる。
【００５５】
また、本実施形態の照明器具１１では、電源基板３３から複数のＬＥＤ光源モジュール４４のそれぞれに配線部材を用いて電気的に接続して電力供給する。例えば、電源基板から特定のＬＥＤ光源モジュール４４に電力供給し、該ＬＥＤ光源モジュール４４に隣り合う他のＬＥＤ光源モジュール４４へも電力供給する照明器具の場合、ＬＥＤ光源モジュール４４間を跨ぐように接続する渡り線が用いられる。この場合、最低でもＬＥＤ光源モジュール４４の基板４３の両端のそれぞれに渡り線を接続するための電気的接続部（例えば、コネクタ）を設けなければならず、１枚の基板に少なくとも２箇所の電気的接続部を設けなければならない。それに対して、本実施形態では、電源基板３３からそれぞれのＬＥＤ光源モジュール４４に電気的に接続している。この場合、電気的接続部は、基板４３上に１箇所設ければよく、ＬＥＤ光源モジュール４４の小型化ができる。また、ＬＥＤ光源モジュール４４間に渡り線を要しないため、使用部材が削減でき、絶縁距離を取るために器具本体（シャーシ）に溝（凹部）等を形成する必要がなく製造コストが削減できる。また、各ＬＥＤ光源モジュール４４は、電源基板３３と直列で接続されている。各ＬＥＤ光源モジュール４４を直列に接続した場合、ＬＥＤ素子４２の駆動電圧Ｖｆの低下を抑えることができる。
【００５６】
また、照明器具１１では、電源基板３３と基板４３の重なる部分において、電源基板３３と基板４３とを電気的に接続することもできる。この場合、電気的に接続する距離が短いため、接続に用いる配線部材の長さを短くすることができ、コスト的に有利である。また、電源基板３３と基板４３の重なる部分に機械的に接続可能なコネクタを設けて、重なり部分を機械的に接続する構成とすることもできる。なお、当該重なり部分は、互いに基板膨張時に影響を考慮して、機械的及び電気的な接続を行わずに、互いに基板に負荷がかからない程度に近接させる構成とすることもできる。
【００５７】
また、照明器具１１では、電源カバー６１は、照明器具の照射面側に向かって２段形状に突出する。すなわち、電源カバー６１の外周縁部を２段からなる階段状に形成すれば、１段からなる形状に比べてＬＥＤ素子４２から出射される光を遮ることを抑え、影が出にくい。
【００５８】
また、照明器具１１では、器具本体２１と基板４３との間に、電源カバー６１の一部である鍔部６６が配置され、該鍔部６６と基板４３とが共通の締結部材であるネジ部材４９により固定される（図５参照）。このように固定することによって、締結部材の使用数を低減することができ、コスト的に有利である。さらに、発熱源である基板４３からの熱が器具本体２１だけでなく電源カバー６１側へも直接伝わり、放熱効果が高まる。
【００５９】
また、照明器具１１では、保護部材９１は、器具本体２１に設けられた突条部２６と電源カバー６１に設けられた段部６５ｂに固定される。これにより、保護部材９１とＬＥＤ光源モジュール４４との間に適度な距離を設けることができ、通気性が確保され、ＬＥＤ光源モジュール４４から発生する熱が籠りにくい構造となる。また、器具本体２１の突条部２６と電源カバー６１の段部６５ｂとの高さを合わせることによって保護部材９１が組立時に載置しやすく、取り付けやすくなる。
【００６０】
また、照明器具１１では受光部８１を器具本体２１の中心ＣとＬＥＤ素子４２とを結ぶ線上から偏在した位置に配置している。具体的には、図２に示すように、受光部８１から最も近接しているＬＥＤ群４２ｂのうちの一つから器具本体２１の中心Ｃとを結ぶ線Ｌ上から外れた位置に受光部８１を配置している。このように受光部８１を配置することで、受光部８１とＬＥＤ素子４２との離間距離を最も長くすることができるため、受光部８１がＬＥＤ素子４２から照射される光の影響を受けにくい。
【００６１】
以上、本発明の実施形態について説明したが、本発明は上記実施形態に限定されるものではなく、様々な変更が可能である。例えば、照明器具１１は丸型としたが、角型やその他の形状としてもよい。また、シーリングライトの他、ペンダントライト等に適用してもよい。ペンダントライトの場合、接続部は、例えば配線ケーブルなどに相当する。また、天井面に配置されたダクトレールに接続可能なペンダントライトの場合、接続部は、例えば配線ダクトプラグおよびそれに接続される配線ケーブルなどに相当する。したがって、本発明における接続部は、照明器具の種類や形態によって広義に解釈することができるものとする。
【００６２】
本実施形態の器具本体２１の形状は一例であり、本実施形態の形状に限定されるものではない。例えば、照明器具１１の形状が丸型以外の角型やその他の形状である場合には、それに応じた形状とすることができる。また、器具本体２１の形状は、光源部４１の形状に応じて適宜変形させることも可能である。
【符号の説明】
【００６３】
１１  照明器具
２１  器具本体
３１  電源部
３３  電源基板
３３ｂ  延出部
４１  光源部
４２  ＬＥＤ素子
４３  基板
４３ｅ  基板延出部
４４  ＬＥＤ光源モジュール
６１  電源カバー
【図１】
2018198228.tif 000003
【図２】
2018198228.tif 000004
【図３】
2018198228.tif 000005
【図４】
2018198228.tif 000006
【図５】
2018198228.tif 000007
【図６】
2018198228.tif 000008